(57)【要約】    【課題】  飛散防止具付きの蛍光灯をレンタルし、必要に応じて回収できるようにした蛍光灯レンタルシステムを提供する。    【解決手段】  ユーザ端末に設けられ、サーバに対して飛散防止具付きの蛍光灯のレンタルを要求するレンタル要求手段(300)と、サーバに設けられ、レンタル要求手段の要求を受け、ユーザ端末(30)に対して飛散防止具付きの蛍光灯のレンタル本数及び届け先を問い合わせる問い合わせ手段(200)と、ユーザ端末に設けられ、問い合わせ手段の問い合わせを受け、サーバに対して飛散防止具付きの蛍光灯のレンタル本数及び届け先を回答する回答手段(310)と、サーバに設けられ、回答手段の回答を受け、飛散防止具付きの蛍光灯のレンタル本数及び届け先を出力するレンタル指示手段(210) と、を備える。【選択図】  図２
2009140321.tif 000002
【特許請求の範囲】
【請求項１】
サーバ、ユーザ端末及びサーバとユーザ端末との間を接続する回線から構成され、保護カバーを蛍光灯のガラス管に被せるとともに蛍光灯の口金部分に固定リングを被せて保護カバーの両端を固定してなる飛散防止具付きの蛍光灯をユーザにレンタルするようにした蛍光灯レンタルシステムであって、
上記ユーザ端末に設けられ、上記サーバに対して上記飛散防止具付きの蛍光灯のレンタルを要求するレンタル要求手段と、
上記サーバに設けられ、上記レンタル要求手段の要求を受け、上記ユーザ端末に対して上記飛散防止具付きの蛍光灯のレンタル本数及び届け先を問い合わせる問い合わせ手段と、
上記ユーザ端末に設けられ、上記問い合わせ手段の問い合わせを受け、上記サーバに対して上記飛散防止具付きの蛍光灯のレンタル本数及び届け先を回答する回答手段と、
上記サーバに設けられ、上記回答手段の回答を受け、上記飛散防止具付きの蛍光灯のレンタル本数及び届け先を出力するレンタル指示手段と、
を備えたことを特徴とする蛍光灯レンタルシステム。
【請求項２】
上記問い合わせ手段が、上記飛散防止具付きの蛍光灯のレンタル本数及び届け先とともに使用済み飛散防止具付きの蛍光灯の回収の有無を問い合わせ、
上記回答手段が、上記飛散防止具付きの蛍光灯のレンタル本数及び届け先とともに上記使用済み飛散防止具付きの蛍光灯の回収の有無を回答し、
上記レンタル指示手段が、上記飛散防止具付きの蛍光灯のレンタル本数及び届け先を出力するとともに、上記使用済み飛散防止具付きの蛍光灯の回収の有無を指示するようになっている請求項１記載の蛍光灯レンタルシステム。 
【発明の詳細な説明】
【技術分野】
【０００１】
この発明は蛍光灯レンタルシステムに関し、特に飛散防止カバー付き蛍光灯をレンタルし、必要に応じて使用済みの飛散防止カバー付き蛍光灯を回収できるようにしたシステムに関する。
【背景技術】
【０００２】
従来より、温水機器や工作機械のリース契約をインターネットなどを通じて容易に行えるようにしたリースシステムか知られている（特許文献１、特許文献２）
【０００３】
ところで、照明に用いられる蛍光灯は管部分がガラスで製作されているので、地震などの災害発生時、物が当たるなど衝撃が加わった時にガラス管が破損し、鋭く尖ったガラスの破片が飛散すると、手足を傷つけるおそれがある。
【０００４】
これに対し、透明な保護カバーをガラス管に被せ、蛍光灯の口金部分に軟質の固定リングを被せて保護カバーの両端を固定し、蛍光灯が破損するのを抑制するとともに、たとえ破損してもガラス破片が飛散しないようにした飛散防止具が提案されている（特許文献３）。
【０００５】
【特許文献１】特開２００７−７９７００号公報
【特許文献２】特開２００３−３４６０５８号公報
【特許文献３】特許第３４１８１７９号公報
【発明の開示】
【発明が解決しようとする課題】
【０００６】
しかし、特許文献３記載の飛散防止具を既設の蛍光灯１本ずつに取付けるのは非常に煩わしい。特に、多数の照明器具を備えた工場や店舗等ではその取付け作業の負担は非常に大きい。
【０００７】
また、蛍光灯の寿命が尽きた場合、使用済みの蛍光灯を照明器具から取り外し、固定リングを抜き、蛍光灯を入れ替え、固定リングを装着した後、蛍光灯を照明器具にセットする必要があり、大変な手間であった。
【０００８】
本発明はかかる問題点に鑑み、飛散防止具付きの蛍光灯をレンタルし、必要に応じて回収できるようにした蛍光灯レンタルシステムを提供することを課題とする。
【課題を解決するための手段】
【０００９】
そこで、本発明に係る蛍光灯レンタルシステムは、サーバ、ユーザ端末及びサーバとユーザ端末との間を接続する回線から構成され、保護カバーを蛍光灯のガラス管に被せるとともに蛍光灯の口金部分に固定リングを被せて保護カバーの両端を固定してなる飛散防止具付きの蛍光灯をユーザにレンタルするようにした蛍光灯レンタルシステムであって、上記ユーザ端末に設けられ、上記サーバに対して上記飛散防止具付きの蛍光灯のレンタルを要求するレンタル要求手段と、上記サーバに設けられ、上記レンタル要求手段の要求を受け、上記ユーザ端末に対して上記飛散防止具付きの蛍光灯のレンタル本数及び届け先を問い合わせる問い合わせ手段と、上記ユーザ端末に設けられ、上記問い合わせ手段の問い合わせを受け、上記サーバに対して上記飛散防止具付きの蛍光灯のレンタル本数及び届け先を回答する回答手段と、上記サーバに設けられ、上記回答手段の回答を受け、上記飛散防止具付きの蛍光灯のレンタル本数及び届け先を出力するレンタル指示手段と、を備えたことを特徴とする。
【００１０】
本発明の主たる特徴は飛散防止具付き蛍光灯の破損しにくく、たとえ破損してもガラス破片が飛散しないという特徴を利用し、飛散防止具付き蛍光灯をレンタルするようにした点にある。
【００１１】
これにより、ユーザは既設の蛍光灯１本ずつに飛散防止具を取付けるという繁雑さを解消できるとともに、蛍光灯の寿命が尽きたときには飛散防止具付きの新しい蛍光灯と交換すればよく、ユーザの負担を大幅に軽減できる。
【００１２】
蛍光灯を輸送する場合、段ボール製の緩衝材（四角形筒状）に蛍光灯を入れて輸送することが行われているが、蛍光灯を取り出した後の緩衝材は廃棄する必要がある。これに対し、本発明では蛍光灯が飛散防止具でカバーされ、輸送中に破損しにくいので、従来の緩衝材は不要となり、ゴミの量を削減できる。
【００１３】
また、従来の緩衝材では輸送中に大きな衝撃が加わると、蛍光灯が破損するおそれがあるが、蛍光灯を緩衝材から取り出さないと、破損しているか否かが分からず、手指を怪我するそれがあった。これに対し、本発明では蛍光灯が飛散防止具でカバーされて輸送中に破損しにくいばかりでなく、たとえ破損しても飛散防止具によってカバーされているので、手指を怪我するおそれはない。
【００１４】
また、使用済みの蛍光灯は飛散防止具を付けたまま回収できるので、ユーザに大きな負担をかけることなく使用済みの蛍光灯を回収でき、蛍光灯の回収率をアップでき、リサイクル性に優れている。
【００１５】
さらに、使用中や保管中に蛍光灯が破損すると、ユーザが破損した蛍光灯を廃棄するのが一般的であった。これに対し、本発明では蛍光灯が破損しても飛散防止具でカバーされているので、そのまま回収して蛍光灯の口金やガラス等をリサイクルでき、省資源の点が優れている。
【００１６】
上述のように、飛散防止具付き蛍光灯のレンタルを行うシステムであるので、レンタルを求めた際に、使用済みの飛散防止具付き蛍光灯の回収の有無を問い合わせることができるようにすると、レンタルと回収を総合的に行うことのできるシステムを構築できる。
【００１７】
即ち、問い合わせ手段が、飛散防止具付きの蛍光灯のレンタル本数及び届け先とともに使用済み飛散防止具付きの蛍光灯の回収の有無を問い合わせ、回答手段が、飛散防止具付きの蛍光灯のレンタル本数及び届け先とともに使用済み飛散防止具付きの蛍光灯の回収の有無を回答し、レンタル指示手段が、飛散防止具付きの蛍光灯のレンタル本数及び届け先を出力するとともに、使用済み飛散防止具付きの蛍光灯の回収の有無を指示するように構成するのがよい。
【発明を実施するための最良の形態】
【００１８】
以下、本発明を図面に示す具体例に基づいて詳細に説明する。図１ないし図４は本発明に係る蛍光灯レンタルシステムの好ましい実施形態を示す。図において、本例のシステムはレンタル・回収業者側のサーバ２０、ユーザ側のユーザ端末３０及び両者の間を接続する回線、例えばインターネット回線４０によって構成されている。
【００１９】
図３に示されるように、サーバ２０は問い合わせ手段２００及びレンタル指示手段２１０の機能を実現し、ユーザ端末３０はレンタル要求手段３００及び回答手段３１０の機能を実現するようになっている。
【００２０】
レンタル要求手段３００はサーバ２０に対して飛散防止具１１付きの蛍光灯１０のレンタルを要求するようになっている。
【００２１】
問い合わせ手段２００はレンタル要求手段３００の要求を受け、ユーザ端末３０に対して飛散防止具１１付きの蛍光灯１０のレンタル本数及び届け先、使用済み飛散防止具１１付き蛍光灯１０の回収の有無を問い合わせるようになっている。
【００２２】
回答手段３１０は問い合わせ手段２００の問い合わせを受け、サーバ２０に対して飛散防止具１１付きの蛍光灯１０のレンタル本数及び届け先、使用済み飛散防止具１１付きの蛍光灯１０の回収の有無を回答するようになっている。
【００２３】
レンタル指示手段２１０は回答手段３１０の回答を受け、飛散防止具１１付きの蛍光灯１０のレンタル本数及び届け先を例えばプリンターによって出力するとともに、使用済み飛散防止具１１付きの蛍光灯１０の回収の有無を指示するようになっている。
【００２４】
ここで、飛散防止具付き蛍光灯では図１に示されるように、蛍光灯１０は直管状のガラス管１０Ａの両端に口金１０Ｂを固定した形状をなし、蛍光灯１０には飛散防止具１１が取付けられている。なお、ガラス管は直管状のものに限定されるものではなく、曲管状のものであっても良い。上記飛散防止具１１では硬質合成樹脂製の透明円筒状の保護カバー１１Ａが蛍光灯１０のガラス管１０Ａの外側に被せられ、蛍光灯１０の口金１０Ｂには軟質合成樹脂製の固定リング１１Ｂが被せられて保護カバー１１Ａの両端が蛍光灯１０に固定されている。
【００２５】
ユーザが飛散防止具１１付きの蛍光灯１０のレンタルを希望する場合、ユーザ端末３０を立ち上げ、インターネット回線４０に接続した後、レンタル・回収業者のサーバ２０のＵＲＬを入力してサーバ２０に接続し、サーバ２０に対してレンタルの要求を求める（ステップＳ３１）。サーバ２０はレンタル要求を受けると、記憶装置２１からレンタル申し込み用の様式を読み出し（ステップＳ２１）、これをユーザ端末３０に送信し、ユーザ端末３０はディスプレイに申し込み様式を表示する（ステップＳ３２）。
【００２６】
申し込み様式にはユーザの氏名又は名称、住所又は居所、ＩＤなど、ユーザの個人情報の入力欄、例えば飛散防止具１１付きの蛍光灯１０の消費電力（ワット数）や色（白色、昼光色等）など、飛散防止具１１付きの蛍光灯１０の特性入力欄、飛散防止具１１付きの蛍光灯１０のレンタル本数及び届け先、使用済みの飛散防止具１１付きの蛍光灯１０の回収の有無などのレンタル情報の入力欄が設けられている。
【００２７】
ユーザがユーザ端末３０のキーボードやマウスポインターなどを利用して申し込み様式に必要な情報を入力し（ステップＳ３３）、サーバ２０からの問い合わせに対応する回答をサーバ２０に送信する（ステップＳ３４）。
【００２８】
サーバ２０はユーザ端末３０からの情報を受けると、その内容を確認し、ユーザ情報、レンタル要求のあった飛散防止具１１付きの蛍光灯１０の特性、レンタル本数及び届け先、使用済みの飛散防止具１１付きの蛍光灯１０の回収の有無などの情報を記憶装置２２に記憶させる。
【００２９】
最後に、サーバ２０はレンタル要求してきたユーザの情報、レンタル要求のあった飛散防止具１１付きの蛍光灯１０の特性、レンタル本数及び届け先、使用済みの飛散防止具１１付きの蛍光灯１０の回収の有無をプリンターでプリントアウトすることによって作業者に通知する。
【００３０】
作業者は車両５０にレンタル要求のあった飛散防止具１１付きの蛍光灯１０を積み込み、ユーザまで運搬してユーザに提供するとともに、ユーザの求めがあった場合には使用済みの飛散防止具１１付きの蛍光灯１０を受け取り、車両５０'に搭載して回収し、リサイクルセンターに持ち込み、リサイクルする。
【００３１】
レンタル要求のあった飛散防止具１１付きの蛍光灯１０の届け先は例えばサーバ２０の記憶装置に記憶させておき、ユーザのＩＤに対応して読み出して届け先を特定するようにしてもよい。
【図面の簡単な説明】
【００３２】
【図１】本発明に係る蛍光灯レンタルシステムに用いられる飛散防止具付き蛍光灯を示す概略斜視図である。
【図２】本発明に係る蛍光灯レンタルシステムの好ましい実施形態を示す全体構成図である。
【図３】上記実施形態における機能ブロックを示す図である。
【図４】上記実施形態における処理を説明するためのフローチャートを示す図である。
【符号の説明】
【００３３】
１０      蛍光灯
１０Ａ    ガラス管
１０Ｂ    口金
１１      飛散防止具
１１Ａ    保護カバー
１１Ｂ    固定リング
２０      サーバ
３０      ユーザ端末
４０      インターネット回線
２００      問い合わせ手段
２１０      レンタル指示手段
３００      レンタル要求手段
３１０      回答手段
【図１】
2009140321.tif 000003
【図２】
2009140321.tif 000004
【図３】
2009140321.tif 000005
【図４】
2009140321.tif 000006